(57)【特許請求の範囲】
【請求項１】
建物の壁面（Ｗ）に対する取付耳片（１７）と、手摺り（１０）に向かって開口する上段の第１チャンネル溝レール（１１ａ）と、その手摺り（１０）を持つ歩行者の足元に向かって開口する下段の第２チャンネル溝レール（１１ｂ）とが連続一体に押出成形されたベース盤（Ｂ）と、
透明なエポシキ樹脂材の封止用角筒（２５）に予じめ封入された状態として、上記ベース盤（Ｂ）の第１、２チャンネル溝レール（１１ａ）（１１ｂ）内へ各々抜き差し自在に差し込み敷設されることにより、そのＬＥＤ（２４）が上記第１、２チャンネル溝レール（１１ａ）（１１ｂ）の長手方向に沿う表面開口部（１３）を通じて発光し得る第１、２ＬＥＤ配線基板（１２ａ）（１２ｂ）と、
上記第１、２チャンネル溝レール（１１ａ）（１１ｂ）の表面開口部（１３）へ各々抜き差し自在に差し込み係止される透光性合成樹脂材の第１、２目隠し化粧カバー（１４ａ）（１４ｂ）とから成り、
上記ベース盤（Ｂ）の取付耳片（１７）を建物の壁面（Ｗ）へ、既設の手摺り（１０）とほぼ平行な延在状態に取り付け固定する一方、
上記第１、２チャンネル溝レール（１１ａ）（１１ｂ）における一端木口部又は両端木口部のエンドキャップ（１６）となる人体検知センサー（１５）を介して、その第１、２ＬＥＤ配線基板（１２ａ）（１２ｂ）を建物に既設の電源コンセント（３３）へ接続使用することにより、
その人体検知センサー（１５）の検知出力信号を受けて自動点灯する第１、２ＬＥＤ配線基板（１２ａ）（１２ｂ）上のＬＥＤ（２４）が、既設の上記手摺り（１０）とその歩行足元との異なる２方向を一挙同時に照明することを特徴とする屋内用手摺りの補助照明器具。
【請求項２】
ベース盤（Ｂ）をアルミ押出材又は合成樹脂押出材として、これから一体に張り出す上下一対の取付耳片（１７）をネジ（１９）や釘などの固定具により、建物の壁面（Ｗ）へ取り付け固定することを特徴とする請求項１記載の屋内用手摺りの補助照明器具。
【請求項３】
建物の壁面（Ｗ）に対する取付耳片（１７）と、手摺り（１０）に向かって開口する上段の第１チャンネル溝レール（１１ａ）と、その手摺り（１０）を持つ歩行者の足元に向かって開口する下段の第２チャンネル溝レール（１１ｂ）とが連続一体に押出成形されたベース盤（Ｂ）と、
透明なエポシキ樹脂材の封止用角筒（２５）に予じめ封入された状態として、上記ベース盤（Ｂ）の第１、２チャンネル溝レール（１１ａ）（１１ｂ）内へ各々抜き差し自在に差し込み敷設されることにより、そのＬＥＤ（２４）が上記第１、２チャンネル溝レール（１１ａ）（１１ｂ）の長手方向に沿う表面開口部（１３）を通じて発光し得る第１、２ＬＥＤ配線基板（１２ａ）（１２ｂ）と、
上記第１、２チャンネル溝レール（１１ａ）（１１ｂ）の表面開口部（１３）へ各々抜き差し自在に差し込み係止される透光性合成樹脂材の第１、２目隠し化粧カバー（１４ａ）（１４ｂ）とから成り、
上記ベース盤（Ｂ）の取付耳片（１７）を建物の壁面（Ｗ）へ１次的に取り付け固定すると共に、その取付耳片（１７）へ手摺り受けブラケット（４０）を２次的に取り付け固定する一方、
上記第１、２チャンネル溝レール（１１ａ）（１１ｂ）における一端木口部又は両端木口部のエンドキャップ（１６）となる人体検知センサー（１５）を介して、その第１、２ＬＥＤ配線基板（１２ａ）（１２ｂ）を建物に既設の電源コンセント（３３）へ接続使用することにより、
その人体検知センサー（１５）の検知出力信号を受けて自動点灯する第１、２ＬＥＤ配線基板（１２ａ）（１２ｂ）上のＬＥＤ（２４）が、上記手摺り受けブラケット（４０）に受け止め支持された新設の手摺り（１０）と、その歩行足元との異なる２方向を一挙同時に照明するように定めたことを特徴とする屋内用手摺りの補助照明器具。
【請求項４】
ベース盤（Ｂ）をアルミ押出材又は合成樹脂押出材として、これから一体に張り出す上下一対の取付耳片（１７ａ）（１７ｂ）を１次皿ネジ（１９）により、建物の壁面（Ｗ）へ先付け固定すると共に、
下側の取付耳片（１７ｂ）よりも大きな上側の取付耳片（１７ａ）へ２次皿ネジ（４１）により、新設の手摺り（１０）に応じた所望の手摺り受けブラケット（４０）を後付け固定することを特徴とする請求項３記載の屋内用手摺りの補助照明器具。
【請求項５】
第１、２目隠し化粧カバー（１４ａ）（１４ｂ）から裏向き一体に突設した一対の取付脚片（２２）を第１、２チャンネル溝レール（１１ａ）（１１ｂ）の一端木口部から、その向かい合う内側面に対応形成された脚片受け入れ凹欠（２３）内へ抜き差し自在に差し込み係止させることにより、その第１、２目隠し化粧カバー（１４ａ）（１４ｂ）の表面をベース盤（Ｂ）のそれと面一状態に保ったことを特徴とする請求項１又は３記載の屋内用手摺りの補助照明器具。
【請求項６】
第１、２目隠し化粧カバー（１４ａ）（１４ｂ）を蓄光材が混入された硬質又は半硬質の合成樹脂から押出成形したことを特徴とする請求項１又は３記載の屋内用手摺りの補助照明器具。
【請求項７】
第１、２ＬＥＤ配線基板（１２ａ）（１２ｂ）を、その両端部の雄コネクター（２６）と雌コネクター（２７）だけが封止用角筒（２５）の両端木口部から張り出す単位長さの複数本として、
その複数本に共通するアルミ押出材又は合成樹脂押出材の別個な芯出しガイドレール（４３ａ）（４３ｂ）へ貼り付けることにより、隣り合う雄コネクター（２６）と雌コネクター（２７）との直列状態に接続一体化した上、
上記芯出しガイドレール（４３ａ）（４３ｂ）をベース盤（Ｂ）の第１、２チャンネル溝レール（１１ａ）（１１ｂ）内へ、その一端木口部から抜き差し自在に差し込み敷設したことを特徴とする請求項１又は３記載の屋内用手摺りの補助照明器具。
【請求項８】
ベース盤（Ｂ）の第１、２チャンネル溝レール（１１ａ）（１１ｂ）と第１、２ＬＥＤ配線基板（１２ａ）（１２ｂ）並びに第１、２目隠し化粧カバー（１４ａ）（１４ｂ）を、各々互いに同じ大きさ・形状として差し替えることができるように定めたことを特徴とする請求項１又は３記載の屋内用手摺りの補助照明器具。
【発明の詳細な説明】
【技術分野】
【０００１】
本発明は建物の壁面へ後付け使用することによって、屋内用手摺りの位置とこれを持って歩行する足元周辺の補助照明器具に係り、一般家庭や病院、公共施設、老人介護施設の廊下や階段などに有効である。
【背景技術】
【０００２】
建物の壁面に取り付け固定される腰見切り縁やその他の台板へ、電気配線用の溝レールや手摺り受けブラケット係合用の溝レールを列設して、手摺り自身やその手摺り受けブラケットに内蔵させた発光ダイオード（ＬＥＤ）により、階段や廊下、玄関などを照明する屋内用の照明付き手摺り構造が、特開平１０−２９９２１１号公報や特開平１１−４５６１５号公報、特開２００４−６０２５２号公報などに記載されている。
【０００３】
又、階段に沿って取り付けられる見切り板や側板へ、光ファイバーを内蔵させた階段の照明装置が、特開平１１−１３４９３１号公報に記載されてもいる。
【特許文献１】特開平１０−２９９２１１号公報
【特許文献２】特開平１１−４５６１５号公報
【特許文献３】特開２００４−６０２５２号公報
【特許文献４】特開平１１−１３４９３１号公報
【発明の開示】
【発明が解決しようとする課題】
【０００４】
ところが、上記特許文献１〜３に開示の従来例では、手摺り自身やその手摺り受けブラケットが特殊品となるため、建物を新築したり、既設の手摺り構造を新らたな照明付きとして、リフォームしたりする場合であればともかく、既設の照明機能を有さない天然木製の丸棒（所謂握り棒）や金属製の丸パイプ、その他のありふれた手摺りについては、到底適用することができず、その意味から不便であり、汎用性に劣る。
【０００５】
他方、上記特許文献４に開示の従来例では、たとえ階段の壁面へ後付け施工して、足元を照明できるとしても、そのための発光体が光ファイバーから成るため、電源のみならず光源ユニットも特別に必要となり、需要者にとって設置上の高い経費を余儀なくされる問題がある。
【課題を解決するための手段】
【０００６】
本発明はこのような課題の改良を目的としており、あくまでも屋内用手摺りの位置とその手摺りに沿う歩行者の足元周辺を照らす補助照明器具として、請求項１では建物の壁面に対する取付耳片と、手摺りに向かって開口する上段の第１チャンネル溝レールと、その手摺りを持つ歩行者の足元に向かって開口する下段の第２チャンネル溝レールとが連続一体に押出成形されたベース盤と、
【０００７】
透明なエポシキ樹脂材の封止用角筒に予じめ封入された状態として、上記ベース盤の第１、２チャンネル溝レール内へ各々抜き差し自在に差し込み敷設されることにより、そのＬＥＤが上記第１、２チャンネル溝レールの長手方向に沿う表面開口部を通じて発光し得る第１、２ＬＥＤ配線基板と、
【０００８】
上記第１、２チャンネル溝レールの表面開口部へ各々抜き差し自在に差し込み係止される透光性合成樹脂材の第１、２目隠し化粧カバーとから成り、
【０００９】
上記ベース盤の取付耳片を建物の壁面へ、既設の手摺りとほぼ平行な延在状態に取り付け固定する一方、
【００１０】
上記第１、２チャンネル溝レールにおける一端木口部又は両端木口部のエンドキャップとなる人体検知センサーを介して、その第１、２ＬＥＤ配線基板を建物に既設の電源コンセントへ接続使用することにより、
【００１１】
その人体検知センサーの検知出力信号を受けて自動点灯する第１、２ＬＥＤ配線基板上のＬＥＤが、既設の上記手摺りとその歩行足元との異なる２方向を一挙同時に照明することを特徴とする。
【００１２】
請求項２ではベース盤をアルミ押出材又は合成樹脂押出材として、これから一体に張り出す上下一対の取付耳片をネジや釘などの固定具により、建物の壁面へ取り付け固定することを特徴とする。
【００１３】
他方、請求項３では建物の壁面に対する取付耳片と、手摺りに向かって開口する上段の第１チャンネル溝レールと、その手摺りを持つ歩行者の足元に向かって開口する下段の第２チャンネル溝レールとが連続一体に押出成形されたベース盤と、
【００１４】
透明なエポシキ樹脂材の封止用角筒に予じめ封入された状態として、上記ベース盤の第１、２チャンネル溝レール内へ各々抜き差し自在に差し込み敷設されることにより、そのＬＥＤが上記第１、２チャンネル溝レールの長手方向に沿う表面開口部を通じて発光し得る第１、２ＬＥＤ配線基板と、
【００１５】
上記第１、２チャンネル溝レールの表面開口部へ各々抜き差し自在に差し込み係止される透光性合成樹脂材の第１、２目隠し化粧カバーとから成り、
【００１６】
上記ベース盤の取付耳片を建物の壁面へ１次的に取り付け固定すると共に、その取付耳片へ手摺り受けブラケットを２次的に取り付け固定する一方、
【００１７】
上記第１、２チャンネル溝レールにおける一端木口部又は両端木口部のエンドキャップとなる人体検知センサーを介して、その第１、２ＬＥＤ配線基板を建物に既設の電源コンセントへ接続使用することにより、
【００１８】
その人体検知センサーの検知出力信号を受けて自動点灯する第１、２ＬＥＤ配線基板上のＬＥＤが、上記手摺り受けブラケットに受け止め支持された新設の手摺りと、その歩行足元との異なる２方向を一挙同時に照明するように定めたことを特徴とする。
【００１９】
請求項４ではベース盤をアルミ押出材又は合成樹脂押出材として、これから一体に張り出す上下一対の取付耳片を１次皿ネジにより、建物の壁面へ先付け固定すると共に、
【００２０】
下側の取付耳片よりも大きな上側の取付耳片へ２次皿ネジにより、新設の手摺りに応じた所望の手摺り受けブラケットを後付け固定することを特徴とする。
【００２１】
又、請求項５では第１、２目隠し化粧カバーから裏向き一体に突設した一対の取付脚片を第１、２チャンネル溝レールの一端木口部から、その向かい合う内側面に対応形成された脚片受け入れ凹欠内へ抜き差し自在に差し込み係止させることにより、その第１、２目隠し化粧カバーの表面をベース盤のそれと面一状態に保ったことを特徴とする。
【００２２】
請求項６では、第１、２目隠し化粧カバーを蓄光材が混入された硬質又は半硬質の合成樹脂から押出成形したことを特徴とする。
【００２３】
請求項７では第１、２ＬＥＤ配線基板を、その両端部の雄コネクターと雌コネクターだけが封止用角筒の両端木口部から張り出す単位長さの複数本として、
【００２４】
その複数本に共通するアルミ押出材又は合成樹脂押出材の別個な芯出しガイドレールへ貼り付けることにより、隣り合う雄コネクターと雌コネクターとの直列状態に接続一体化した上、
【００２５】
上記芯出しガイドレールをベース盤の第１、２チャンネル溝レール内へ、その一端木口部から抜き差し自在に差し込み敷設したことを特徴とする。
【００２６】
更に、請求項８ではベース盤の第１、２チャンネル溝レールと第１、２ＬＥＤ配線基板並びに第１、２目隠し化粧カバーを、各々互いに同じ大きさ・形状として差し替えることができるように定めたことを特徴とする。
【発明の効果】
【００２７】
請求項１の上記構成ではベース盤を建物の壁面へ、既設の手摺りとほぼ平行に延在する関係状態として後付け固定することにより、その既設の手摺りとこれに沿い歩行する足元との異なる２方向を、第１、２ＬＥＤ配線基板に植え付けられているＬＥＤ（発光ダイオード）の発光によって、一挙同時に照明することができ、冒頭の照明付き手摺り構造と異なり、既設のあらゆる手摺りに適用し得る汎用性がある。
【００２８】
又、そのための発光体は第１、２ＬＥＤ配線基板に植え付けられたＬＥＤとして、特別の光源ユニットを必要とせず、しかもこれは人体検知センサーの検知出力信号を受けて自動点灯するようになっているため、人為的なスイッチオン・オフ操作を加える必要もなく、上記手摺りに沿う夜間での歩行安全性に優れ、省エネ効果も得られる。
【００２９】
更に、上記ＬＥＤを植え付けられた第１、２ＬＥＤ配線基板は、ベース盤の第１、２チャンネル溝レールと対応合致し得る透明エポキシ樹脂材の角筒によって、予じめ封止されているため、屋内の廊下や階段のみならず、洗面所などの水廻りにも支障なく取り付け使用でき、上記第１、２チャンネル溝レールに対する第１、２ＬＥＤ配線基板の円滑な差し込みと、その複数本の正確に直列する接続状態を得られる効果もある。
【００３０】
その場合、請求項２の構成を採用するならば、ベース盤がアルミ押出材又は合成樹脂押出材から成るため、これを既設の手摺りとほぼ同じ使用長さに切断したり、その上下一対の取付耳片にタッピング加工したりする後加工も容易に行なえ、施工性の向上に役立つ。
【００３１】
他方、請求項３の構成を採用するならば、新設する手摺りに応じた希望の各種手摺り受けブラケットを、そのベース盤の取付耳片へ取り付け固定することができ、新設の手摺りを備えた補助照明器具としても提供し得るのであり、その際にもベース盤の内部から発光するＬＥＤによって、新設の手摺りとその歩行足元との異なる２方向を一挙同時に照明できることとなる。
【００３２】
その場合、請求項４の構成を採用するならば、ベース盤の両取付耳片を１次的な皿ネジにより、建物の壁面へ先付け固定した上、その上側の大きな取付耳片へ新設の手摺りに応じた希望の手摺り受けブラケットを、２次的な皿ネジにより後付け固定するようになっているため、その建物の壁面に対する施工作業を容易に便利良く行なえ、しかもベース盤と手摺りとの正確な平行状態を得られる効果がある。
【００３３】
又、請求項５の構成を採用するならば、第１、２チャンネル溝レールの長手方向に沿う表面開口部の第１、２目隠し化粧カバーを、そのチャンネル溝レールの一端木口部から容易に正しく差し込むことができ、しかも目隠し化粧カバーを表側から抜き出すことができない安全性と化粧効果も得られる。
【００３４】
請求項６の構成を採用するならば、第１、２目隠し化粧カバーの上記ＬＥＤの光を自づと蓄積するため、停電時の歩行安全性を確保することができる。
【００３５】
更に、請求項７の構成を採用するならば、複数本の第１、２ＬＥＤ配線基板を別個な芯出しガイドレールへ、正確に直列する接続状態に貼り付け一体化することができ、その接続状態にある芯出しガイドレールをベース盤の第１、２チャンネル溝レールへ、すばやく円滑に差し込み敷設し得るのであり、特に手摺りとベース盤の使用長さが長くなればなる程、その施工性の向上に役立つ。
【００３６】
請求項８の構成を採用するならば、ベース盤と第１、２ＬＥＤ配線基板並びに第１、２目隠し化粧カバーの量産効果を向上できるほか、そのＬＥＤ配線基板と目隠し化粧カバーを第１、２チャンネル溝レール同志の相互間において、自由自在に差し替えることもでき、その互換性に優れる。
【発明を実施するための最良の形態】
【００３７】
以下、図面に基いて本発明の具体的構成を詳述すると、図１〜１４はその本発明の第１実施形態に係り、既設の屋内用手摺り（１０）とほぼ平行に延在する状態として、建物の壁面（Ｗ）へ後付け施工されることにより、既設の手摺り（１０）とその歩行足元との異なる２方向を照らす補助照明器具を示している。
【００３８】
この補助照明器具は、建物の壁面（Ｗ）に取り付け固定されるアルミ押出材又は合成樹脂押出材のベース盤（Ｂ）と、そのベース盤（Ｂ）の第１、２チャンネル溝レール（１１ａ）（１１ｂ）内へ差し込み敷設される第１、２ＬＥＤ（発光ダイオード）配線基板（１２ａ）（１２ｂ）と、その第１、２チャンネル溝レール（１１ａ）（１１ｂ）の長手方向に沿う表面開口部（１３）を施蓋する第１、２目隠し化粧カバー（１４ａ）（１４ｂ）と、上記第１、２チャンネル溝レール（１１ａ）（１１ｂ）の一端木口部を施蓋する人体検知センサー（赤外線センサー）（１５）と、同じく第１、２チャンネル溝レール（１１ａ）（１１ｂ）の他端木口部を施蓋するエンドキャップ（１６）とから成り、上記第１、２ＬＥＤ配線基板（１２ａ）（１２ｂ）が人体検知センサー（１５）を介して、建物に既設の電源（ＡＣ１００Ｖ）と接続使用されるようになっている。
【００３９】
このような主要構成部材のうち、先ずベース盤（Ｂ）は動力工具により切断や穿孔、タッピングなどの後加工を容易に行なえるアルミ合金又は硬質合成樹脂からの押出成形品として、建物の壁面（Ｗ）に対する上下一対の取付耳片（１７）と、手摺り（１０）に向かって開口する上段の第１チャンネル溝レール（１１ａ）と、その手摺り（１０）を持つ歩行者の足元に向かって開口する下段の第２チャンネル溝レール（１１ｂ）とを連続一体に具備している。
【００４０】
一例を挙げれば、上記ベース盤（Ｂ）の帯幅（Ｈ）は約３５０〜４５０mm、建物の壁面（Ｗ）から張り出す厚み（Ｔ）は約１２〜１５mm、長さ（Ｌ）は手摺り（１０）のそれとほぼ同じであり、手摺り（１０）の長さに応じて変ることになる。
【００４１】
その場合、図示実施形態のベース盤（Ｂ）では第１チャンネル溝レール（１１ａ）を、建物の壁面（Ｗ）とほぼ直角な横向き（前向き）に開口させる一方、第２チャンネル溝レール（１１ｂ）を同じく壁面（Ｗ）とほぼ平行な下向きに開口させているが、その互いに異なる２方向を目指す関係にある限り、例えば上下一対の平行な手摺り（１０）の中間高さ位置にベース盤（Ｂ）を介在させて、その上段の第１チャンネル溝レール（１１ａ）を斜め上向きとし、下段の第２チャンネル溝レール（１１ｂ）を斜め下向きとして各々開口させることにより、上段の手摺り（１０）に対する一方向と、下段の手摺り（１０）並びにその歩行足元に対する他方向とを照明するように定めても良い。
【００４２】
又、上記第１、２チャンネル溝レール（１１ａ）（１１ｂ）の押出断面形状と大きさ（開口面積）を互いに同一として、その内部へ対応する互いに同じ形状と大きさの第１、２ＬＥＤ配線基板（１２ａ）（１２ｂ）を、差し替え敷設できるようになっているが、その第１、２チャンネル溝レール（１１ａ）（１１ｂ）と第１、２ＬＥＤ配線基板（１２ａ）（１２ｂ）を各々互いに異なる形状・大きさとして、上記差し替え不能に造形してもさしつかえない。
【００４３】
上記ベース盤（Ｂ）における上下一対の取付耳片（１７）は互いに同じ大きさとして、第１、２チャンネル溝レール（１１ａ）（１１ｂ）から張り出しており、その表面には取り付け固定時の位置決め用となるＶ溝（１８）が、長手方向に沿って各々列設されている。そのため、そのＶ溝（１８）からタッピング加工するネジ（１９）によって、上記ベース盤（Ｂ）を建物の壁面（Ｗ）へ容易に正しく取り付け固定することができる。
【００４４】
但し、両取付耳片（１７）のＶ溝（１８）からドリリング加工を施して、釘や木ネジ、皿ネジ（１９）などの固定具によりベース盤（Ｂ）を取り付け固定しても良く、その際に接着剤や両面接着テープ（図示省略）を併用することも可能である。
【００４５】
（２０）は上記ベース盤（Ｂ）における第１、２チャンネル溝レール（１１ａ）（１１ｂ）の向かい合う内側面から各々突設された一対づつの仕切りリブであり、これよりも溝底側（内奥側）が第１、２ＬＥＤ配線基板受け入れ室（Ｒ１）（Ｒ２）をなす。（２１）はその仕切りリブ（２０）よりも表面側（入口側）に位置しつつ、これと平行に各々突出された向かい合う一対づつの第１、２目隠し化粧カバー用抜け止めリブであり、この抜け止めリブ（２１）と上記仕切りリブ（２０）との隣り合う相互間が、第１、２目隠し化粧カバー（１４ａ）（１４ｂ）の取付脚片（２２）を受け入れる凹欠（２３）として陥没している。
【００４６】
茲に、第１、２目隠し化粧カバー（１４ａ）（１４ｂ）はアクリル樹脂などの透光性を有する硬質又は半硬質の合成樹脂から押出成形されており、これから裏向き一体に突出する一対の取付脚片（２２）が上記第１、２チャンネル溝レール（１１ａ）（１１ｂ）の一端木口部から、その脚片受け入れ凹欠（２３）内へ抜き差し自在に差し込まれて、第１、２チャンネル溝レール（１１ａ）（１１ｂ）の長手方向に沿う表面開口部（１３）を施蓋するようになっている。
【００４７】
その施蓋状態では図４から明白なように、第１、２目隠し化粧カバー（１４ａ）（１４ｂ）の取付脚片（２２）が上記第１、２チャンネル溝レール（１１ａ）（１１ｂ）のカバー用抜け止めリブ（２１）へ係止すると共に、第１、２目隠し化粧カバー（１４ａ）（１４ｂ）の表面４上記ベース盤（Ｂ）の表面とが面一状態に保たれて、その第１、２目隠し化粧カバー（１４ａ）（１４ｂ）を表側から抜き出せないようになっている。
【００４８】
このような第１、２目隠し化粧カバー（１４ａ）（１４ｂ）を上記合成樹脂から押出成形する際には、その顔料として蓄光材を混入させることが好ましい。そうすれば、光を蓄えることができるため、停電時の歩行安全性に役立つ。
【００４９】
尚、上記ベース盤（Ｂ）として特にアルミ押出材を採用する場合、その第１、２目隠し化粧カバー（１４ａ）（１４ｂ）を除く表面全体に、例えば木目柄や抽象柄などの各種模様がプリントされた化粧シート（図示省略）を貼り付けたり、着色や塗装などの表面処理を施したりして、建物の壁面（Ｗ）と融和する和風調の化粧効果を与えることも可能である。
【００５０】
先に一言した第１、２ＬＥＤ配線基板（１２ａ）（１２ｂ）は図５〜１１に抽出して示す如く、これに一定の間隔を保って植え付けられた複数の高輝度なＬＥＤ（発光ダイオード）（２４）を備えているが、予じめ透明なエポキシ樹脂材の封止用角筒（２５）に封入された状態の一体品として、上記ベース盤（Ｂ）の第１、２チャンネル溝レール（１１ａ）（１１ｂ）内へ差し込み敷設されるようになっている。その封止用角筒（２５）が例えば約７mm×５mmの断面長方形として、上記第１、２チャンネル溝レール（１１ａ）（１１ｂ）の内部における就中ＬＥＤ配線基板受け入れ室（Ｒ１）（Ｒ２）と対応合致しているのである。
【００５１】
このような角筒（２５）に封入された一体品の第１、２ＬＥＤ配線基板（１２ａ）（１２ｂ）としては、約３２０mmの単位長さ（Ｌ１）と約６４０mmの単位長さ（Ｌ２）並びに約９６０mmの単位長さ（Ｌ３）を有する３心又は４心の３種が用意されており、その何れも封止用角筒（２５）の両端木口部から雄コネクター（２６）と雌コネクター（２７）とが予じめ張り出す状態にあって、その隣り合う一方の雄コネクター（２６）と他方の雌コネクター（２７）とを差し込み嵌合した時に初めて、上記角筒（２５）の一端木口部同志が密着するようになっている。
【００５２】
そのため、上記３種の単位長さ（Ｌ１）（Ｌ２）（Ｌ３）を適当に組み変えることにより、手摺り（１０）や上記ベース盤（Ｂ）の長さに対応させることができ、複数本の第１、２ＬＥＤ配線基板（１２ａ）（１２ｂ）をベース盤（Ｂ）における第１、２チャンネル溝レール（１１ａ）（１１ｂ）内の就中ＬＥＤ配線基板受け入れ室（Ｒ１）（Ｒ２）へ、その一端木口部から順次差し込んでゆくことにより、雄コネクター（２６）と雌コネクター（２７）との嵌合を介して、自づと正しく直列状態に接続することができる。
【００５３】
その際、第１、２ＬＥＤ配線基板（１２ａ）（１２ｂ）に植え付けられているＬＥＤ（２４）が図４のように、第１、２チャンネル溝レール（１１ａ）（１１ｂ）の表面開口部（１３）を目指す方向性として、そのＬＥＤ配線基板受け入れ室（Ｒ１）（Ｒ２）へ差し込み敷設され、上記第１、２目隠し化粧カバー（１４ａ）（１４ｂ）を通じて発光することは言うまでもない。尚、ＬＥＤ（２４）における赤色や青色、好ましくは白色などの発光色や、輝度はその第１、２ＬＥＤ配線基板（１２ａ）（１２ｂ）の相互間において、同一である場合のほか、相違されることもあり得る。
【００５４】
又、上記人体検知センサー（１５）は器筐（２８）に内蔵されたセンサー配線基板（図示省略）との組立ユニット体をなし、その器筐（２８）から一体に張り出す上下一対の取付耳片（２９）が、やはりネジ（３０）などの固定具を介して建物の壁面（Ｗ）へ固定されることにより、上記ベース盤（Ｂ）における第１、２チャンネル溝レール（１１ａ）（１１ｂ）の一端木口部を施蓋する。
【００５５】
そして、その建物の壁面（Ｗ）へ取り付け固定する際に、人体検知センサー（１５）の配線基板は余裕長さを有するリード線（３１）により、上記第１、２ＬＥＤ配線基板（１２ａ）（１２ｂ）の何れか一方と通電状態に接続されると共に、同じくセンサー配線基板から器筐（２８）を通じて導出する電源コード（３２）が、建物に既設の電源コンセント（３３）へ抜き差し自在に差し込み使用されるようになっている。
【００５６】
（３４）は上記第１、２ＬＥＤ配線基板（１２ａ）（１２ｂ）に対するリード線（３１）の抜き差し可能な接続コネクター、（３５）は第１、２チャンネル溝レール（１１ａ）（１１ｂ）の他端木口部付近において、その第１、２ＬＥＤ配線基板（１２ａ）（１２ｂ）同志を通電状態に接続するリード線、（３６）は上記人体検知センサー（１５）と同様に、その器筐（２８）の表面から露出する発光時間調整ボリュームであり、これを手動工具により回動操作して、上記ＬＥＤ（２４）の発光時間を長短に調整することができる。
【００５７】
更に、上記ベース盤（Ｂ）における第１、２チャンネル溝レール（１１ａ）（１１ｂ）の他端木口部を施蓋するエンドキャップ（１６）は、硬質又は半硬質の合成樹脂から成り、これから裏向き一体に突出する上下一対の差込み脚片（３７）が、上記第１、２チャンネル溝レール（１１ａ）（１１ｂ）の内部へ抜き差し自在に差し込み嵌合されるようになっている。
【００５８】
上記第１実施形態の補助照明器具を施工するに当っては、そのベース盤（Ｂ）と人体検知センサー（１５）の器筐（２８）をネジ（１９）（３０）や釘などの固定具により、建物の壁面（Ｗ）へ取り付け固定して、その壁面（Ｗ）に既設の屋内用手摺り（１０）とほぼ平行する延５状態に保つと共に、上記人体検知センサー（１５）の器筐（２８）から導出する電源コード（３２）を、図１２、１３のように建物の電源コンセント（３３）へ差し込み使用すれば良い。
【００５９】
この点、図１２、１４は廊下（３８）の壁面（Ｗ）に対する取り付け使用状態を例示しており、その既設の手摺り受けブラケット（３９）に受け止め支持された手摺り（１０）は、約３４〜４０mmの直径を有する天然木の丸棒（所謂握り棒）から成るが、その使用状態ではこれに接近した歩行者を、上記人体検知センサー（１５）が検知した出力信号を受けて、上記ベース盤（Ｂ）における上段の第１チャンネル溝レール（１１ａ）に差し込み敷設されている第１ＬＥＤ配線基板（１２ａ）上のＬＥＤ（２４）が、図１４の矢印（Ｆ１）で示す如く、その第１目隠し化粧カバー（１４ａ）を通じて自動的に発光（点灯）し、廊下歩行上の握り持ち手となる手摺り（１０）を照明することになる。
【００６０】
他方、同じくベース盤（Ｂ）における下段の第２チャンネル溝レール（１１ｂ）に差し込み敷設されている第２ＬＥＤ配線基板（１２ｂ）上のＬＥＤ（２４）は、同図の別な矢印（Ｆ２）で示す如く、廊下歩行上の足元を照明することになり、その異なる２方向を一挙同時に照明する結果、夜間の歩行安全性を確保できると共に、上記ＬＥＤ（２４）の人為的なオン・オフスイッチ操作が不要である。
【００６１】
次に、図１５〜１７は本発明の第２実施形態に係る屋内用手摺り（１０）の補助照明器具を示しており、これでは上記ベース盤（Ｂ）から上下一対として連続一体に張り出す取付耳片（１７ａ）（１７ｂ）のうち、その上側の取付耳片（１７ａ）を下側の取付耳片（１７ｂ）よりも上方へ大幅に延長させることによって、その取付耳片（１７ａ）の広大な表面へ、新設する手摺り（１０）に応じた所望の手摺り受けブラケット（４０）を、取り付け固定することができるようになっている。
【００６２】
つまり、上側の取付耳片（１７ａ）と下側の取付耳片（１７ｂ）を図１７に示す如く、１次的な皿ネジ（１９）や釘などの固定具により、建物の壁面（Ｗ）へ先付け固定すると共に、その上側の広大な取付耳片（１７ａ）へ２次的な皿ネジ（４１）や釘などの固定具により、希望する各種形態の手摺り受けブラケット（４０）を後付け固定して、その手摺り受けブラケット（４０）に天然木の丸棒（握り棒）や金属製の丸パイプなどから成る新らたな手摺り（１０）を取り付け固定するのである。そうすれば、その手摺り（１０）とベース盤（Ｂ）とが自づと平行に延在する組立ユニット体を得られる。
【００６３】
その場合、上側の広大な取付耳片（１７ａ）には上記１次皿ネジ（１９）のみならず、２次皿ネジ（４１）の位置決め用にもなるＶ溝（１８）を長手方向に沿って、数多く増設しておくことが好ましい。そうすれば、その上側の取付耳片（１７ａ）へ上記手摺り受けブラケット（４０）を、やはり容易に正しく取り付け固定することができる。
【００６４】
しかも、その手摺り受けブラケット（４０）の固定具となる２次皿ネジ（４１）を図１７のように、建物の壁面（Ｗ）まで深く重畳的に取り付け一体化するならば、上記１次皿ネジ（１９）と相俟ってベース盤（Ｂ）の固定強度をますます昂めることができることになる。
【００６５】
尚、そのベース盤（Ｂ）における上段の第１チャンネル溝レール（１１ａ）を図１５〜１７のような斜め上向きとして、新設の手摺り（１０）を目指すように開口させても良いことは、上記第１実施形態に基いて説明したとおりである。第２実施形態におけるその他の構成は上記第１実施形態と実質的に同一であるため、その図１５〜１７に図１〜１４との対応符号を記入するにとどめて、その詳細な説明を省略する。
【００６６】
上記第１、２実施形態の何れにあっても、その人体検知センサー（１５）は図１８〜２５の第１変形実施形態に示す左右一対として、ベース盤（Ｂ）における第１、２チャンネル溝レール（１１ａ）（１１ｂ）の両端木口部を施蓋する状態に取り付け固定することにより、その両端木口部のエンドキャップ（１６）と兼用させても良い。
【００６７】
そして、図２５に例示するような屋内用階段（４２）の壁面（Ｗ）へ、その手摺り（１０）の補助照明器具を取り付け固定すると共に、両人体検知センサー（１５）を階段（４２）の昇り口と降り口へ臨ませれば、上記手摺り（１０）に沿う階段歩行上の安全確保に著しく有効となる。
【００６８】
又、上記第１、２実施形態では複数本の第１、２ＬＥＤ配線基板（１２ａ）（１２ｂ）を、ベース盤（Ｂ）における第１、２チャンネル溝レール（１１ａ）（１１ｂ）のＬＥＤ配線基板受け入れ室（Ｒ１）（Ｒ２）内へ、順次直接差し込んでゆくことにより、直列状態に接続することができる旨を説明したが、図２２〜２４に併せて示す如く、上記ベース盤（Ｂ）と同様なアルミ合金又は合成樹脂から、断面ほぼ受皿形やハット形などに押出成形された別個な第１、２芯出しガイドレール（４３ａ）（４３ｂ）を用意し、その溝底面に両面接着テープ（４４）や接着剤などを介して、上記第１、２ＬＥＤ配線基板（１２ａ）（１２ｂ）の複数本づつをその隣り合う同志の雄コネクター（２６）と雌コネクター（２７）とが予じめ差し込み嵌合された直列の接続状態に貼り付けておく。
【００６９】
そして、その貼り付け状態にある第１、２芯出しガイドレール（４３ａ）（４３ｂ）を図１９〜２１のように、上記第１、２チャンネル溝レール（１１ａ）（１１ｂ）のＬＥＤ配線基板受け入れ室（Ｒ１）（Ｒ２）内へ、その一端木口部から抜き差し自在に差し込むことが好ましい。そうすれば、複数本の第１、２ＬＥＤ配線基板（１２ａ）（１２ｂ）を自づと正しく芯出しされた直列状態に接続一体化でき、しかも上記ベース盤（Ｂ）の第１、２チャンネル溝レール（１１ａ）（１１ｂ）内へ容易・円滑に差し込めるのであり、そのための作業性が上記ベース盤（Ｂ）や手摺り（１０）の長くなればなる程、ますます向上する。
【００７０】
（４５）は上記第１、２芯出しガイドレール（４３ａ）（４３ｂ）から連続一体に張り出す一対の差込み耳片、（４６）はこれと対応する向かい合う一対の耳片受け入れ凹欠であり、上記第１、２チャンネル溝レール（１１ａ）（１１ｂ）の内側面に列設されている。第１、２芯出しガイドレール（４３ａ）（４３ｂ）の差込み耳片（４５）をその耳片受け入れ凹欠（４６）に沿って、第１、２チャンネル溝レール（１１ａ）（１１ｂ）のＬＥＤ配線基板受け入れ室（Ｒ１）（Ｒ２）内へ差し込むのである。
【００７１】
その場合、複数本の第１、２ＬＥＤ配線基板（１２ａ）（１２ｂ）を第１、２芯出しガイドレール（４３ａ）（４３ｂ）の溝底面へ貼り付けるための両面接着テープ（４４）や接着剤などは、少なくとも第１、２ＬＥＤ配線基板（１２ａ）（１２ｂ）同志の継ぎ目に跨がる部分的な一定長さ（Ｌ４）分として、予じめ定着させれば足りる。
【００７２】
更に、上記第１、２実施形態とその第１変形実施形態では、第１、２チャンネル溝レール（１１ａ）（１１ｂ）の一端木口部又は両端木口部を施蓋する人体検知センサー（１５）を、建物の壁面（Ｗ）へ取り付け固定すると共に、その際に第１、２ＬＥＤ配線基板（１２ａ）（１２ｂ）と接続するようになっているが、その人体検知センサー（１５）は図２６の第２変形実施形態に示す如く、上記ベース盤（Ｂ）の第１、２チャンネル溝レール（１１ａ）（１１ｂ）内へ組み込みユニット化して、これだけの壁面（Ｗ）に対する取り付け固定を省略しても良い。
【００７３】
そして、合成樹脂板や金属板から成る左右一対のエンドキャップ（１６）を皿ビス（４７）などの固定具により、上記第１、２チャンネル溝レール（１１ａ）（１１ｂ）の両端木口部へ着脱自在に取り付け固定してもさしつかえない。
【００７４】
尚、図１８〜２６の第１、２変形実施形態におけるその他の構成は、上記第１実施形態と実質的に同一であるため、その図１８〜２６に図１〜１４との対応符号を記入するにとどめて、その詳細な説明を割愛する。
【図面の簡単な説明】
【００７５】
【図１】本発明に係る補助照明器具の第１実施形態を示す分解斜面図である。
【図２】その補助照明器具の一半部を組立状態として示す断面正面図である。
【図３】同じく他半部を組立状態として示す断面正面図である。
【図４】図２の４−４線拡大断面図である。
【図５】複数本のＬＥＤ配線基板を示す斜面図である。
【図６】ＬＥＤ配線基板の各種単位長さを示す平面図である。
【図７】図６の接続状態を示す平面図である。
【図８】ＬＥＤ配線基板を封止用角筒へ挿入する関係状態の斜面図である。
【図９】１本のＬＥＤ配線基板を封止用角筒へ挿入した状態の平面図である。
【図１０】２本のＬＥＤ配線基板を共通の封止用角筒へ挿入した状態の平面図である。
【図１１】３本のＬＥＤ配線基板を共通の封止用角筒へ挿入した状態の平面図である。
【図１２】第１実施形態の補助照明器具を建物の壁面へ取り付けた施工状態の正面図である。
【図１３】電気配線図である。
【図１４】図１２の１４−１４線拡大断面図である。
【図１５】本発明に係る補助照明器具の第２実施形態を示す図１に対応する分解斜面図である。
【図１６】その補助照明器具の図４に対応する断面図である。
【図１７】図１６の補助照明器具を建物の壁面へ取り付けた施工状態の図１２に対応する断面図である。
【図１８】上記第１実施形態の部分的な第１変形実施形態を示す図１に対応する分解斜面図である。
【図１９】その補助照明器具の一半部を組立状態として示す断面正面図である。
【図２０】同じく他半部を組立状態として示す断面正面図である。
【図２１】図１９の２１−２１線拡大断面図である。
【図２２】ＬＥＤ配線基板とその接続上の芯出しガイドレールを示す斜面図である。
【図２３】芯出しガイドレールに対するＬＥＤ配線基板の貼り付け状態を示す正面図である。
【図２４】図２３の２４−２４線拡大断面図である。
【図２５】建物の壁面に対する補助照明器具の取り付け施工状態を示す正面図である。
【図２６】上記第１実施形態の部分的な第２変形実施形態を示す斜面図である。
【符号の説明】
【００７６】
（１０）・手摺り
（１１ａ）・第１チャンネル溝レール
（１１ｂ）・第２チャンネル溝レール
（１２ａ）・第１ＬＥＤ配線基板
（１２ｂ）・第２ＬＥＤ配線基板
（１３）・チャンネル溝レールの表面開口部
（１４ａ）・第１目隠し化粧カバー
（１４ｂ）・第２目隠し化粧カバー
（１５）・人体検知センサー
（１６）・エンドキャップ
（１７）（１７ａ）（１７ｂ）・ベース盤の取付耳片
（１８）・Ｖ溝
（１９）・ネジ
（２０）・仕切りリブ
（２１）・カバー用抜け止めリブ
（２２）・目隠し化粧カバーの取付脚片
（２３）・脚片受け入れ凹欠
（２４）・ＬＥＤ（発光ダイオード）
（２５）・ＬＥＤ配線基板の封止用角筒
（２６）・雄コネクター
（２７）・雌コネクター
（２８）・人体検知センサーの器筐
（２９）・取付耳片
（３０）・皿ネジ
（３１）（３５）・リード線
（３２）・電源コード
（３３）・電源コンセント
（３４）・接続コネクター
（３６）・調整ボリューム
（３７）・エンドキャップの差込み脚片
（３８）・廊下
（３９）（４０）・手摺り受けブラケット
（４１）・２次皿ネジ
（４２）・階段
（４３ａ）・第１芯出しガイドレール
（４３ｂ）・第２芯出しガイドレール
（４４）・両面接着テープ
（４５）・芯出しガイドレールの差込み耳片
（４６）・耳片受け入れ凹欠
（４７）・皿ネジ
（Ｂ）・ベース盤
（Ｆ１）（Ｆ２）・照明方向
（Ｌ１）（Ｌ２）（Ｌ３）・ＬＥＤ配線基板の単位長さ
（Ｒ１）（Ｒ２）・チャンネル溝レールのＬＥＤ配線基板受け入れ室
（Ｗ）・壁面
【図１】
0004866871.tif 000002
【図２】
0004866871.tif 000003
【図３】
0004866871.tif 000004
【図４】
0004866871.tif 000005
【図５】
0004866871.tif 000006
【図６】
0004866871.tif 000007
【図７】
0004866871.tif 000008
【図８】
0004866871.tif 000009
【図９】
0004866871.tif 000010
【図１０】
0004866871.tif 000011
【図１１】
0004866871.tif 000012
【図１２】
0004866871.tif 000013
【図１３】
0004866871.tif 000014
【図１４】
0004866871.tif 000015
【図１５】
0004866871.tif 000016
【図１６】
0004866871.tif 000017
【図１７】
0004866871.tif 000018
【図１８】
0004866871.tif 000019
【図１９】
0004866871.tif 000020
【図２０】
0004866871.tif 000021
【図２１】
0004866871.tif 000022
【図２２】
0004866871.tif 000023
【図２３】
0004866871.tif 000024
【図２４】
0004866871.tif 000025
【図２５】
0004866871.tif 000026
【図２６】
0004866871.tif 000027